(57)【要約】    【課題】  トイレの排気を同時に実施することを目的として、トイレと浴室とをダクトで連結すると、トイレの臭気をそのまま浴室に運んでしまうという問題があった。    【解決手段】  トイレに設けた第１の吸気口から吸込んだ空気を排気口から外部に排気し、トイレ及び浴室以外に設けた第２の吸気口から吸込んだ空気を吹出口から浴室内に吹出した後、浴室内の吸込口から吸込んで前記排気口から外部に排気するように構成した。    【選択図】  図１
2006234284.tif 000002
【特許請求の範囲】
【請求項１】
浴室に設けられ、内部にファンユニットを有する換気手段と、トイレに設けた第１の吸気口と、前記トイレ及び前記浴室以外に設けた第２の吸気口を備え、
前記換気手段は、空気を屋外に排気するための排気口と、空気を前記浴室内の流入させる吹出口と、浴室内の空気を吸込む吸込口とを備え、前記第１の吸気口から吸込んだ空気を前記排気口から排気し、前記第２の吸気口から吸込んだ空気を前記吹出口から浴室内に吹出した後、前記吸込口から吸込んで前記排気口に導くように構成したことを特徴とする換気装置。
【請求項２】
請求項1において、
前記第1の吸気口から吸込んだ空気の流路と、前記第２の吸気口から吸込んだ空気の流路を隔離させたことを特徴とする換気装置。
【請求項３】
請求項１または２において、
前記ファンユニットは、第１の吸気口用ファンと、第２の吸気口及び浴室排気用ファンとから構成されたことを特徴とする換気装置。
【請求項４】
請求項３において、
前記第１の吸気口用ファンと前記第２の吸気口及び浴室排気用ファンとを別体で設けたことを特徴とする換気装置。
【請求項５】
請求項３において、
前記第１の吸気口用ファンと前記第２の吸気口及び浴室排気用ファンとを一体で設けたことを特徴とする換気装置。
【請求項６】
請求項１または２において、
前記ファンユニットは、第１の吸気口用ファンと、浴室排気用ファンと、第２の吸気口用ファンとから構成されたことを特徴とする換気装置。
【請求項７】
請求項６において、
前記第１の吸気口用ファンと前記浴室排気用ファンと前記第２の吸気口用ファンとを別体で設けたことを特徴とする換気装置。
【請求項８】
請求項６において、
前記第１の吸気口用ファンと前記浴室排気用ファンとを一体で設けたことを特徴とする換気装置。
【請求項９】
請求項６において、
前記第１の吸気口用ファンと前記第２の吸気口用ファンとを一体で設けたことを特徴とする換気装置。
【請求項１０】
請求項６において、
前記浴室排気用ファンと前記第２の吸気口用ファンとを一体で設けたことを特徴とした換気装置。
【請求項１１】
請求項６乃至１０のいずれかにおいて、
前記第２の吸気口用ファンをプロペラファンとしたことを特徴とする換気装置。
【発明の詳細な説明】
【技術分野】
【０００１】
本発明は浴室内の排気を行うと同時に、他の部屋の排気を行う同時給排気型の換気装置に関する。
【背景技術】
【０００２】
従来の同時給排気型の換気装置は、例えば特開平7-145973号公報（特許文献１）のようなものが知られている。特許文献１では、天井面に給気用ファン２１と排気用ファン１５を備えた換気・乾燥装置１０を設け、給気用ファン２１を駆動させて浴室外からの空気を浴室内に取り込み、この取り込んだ空気を浴室の天井面に沿わせて流し入れると共に、排気用ファン１５を駆動して浴室内の空気を外部に排気するように構成した換気・乾燥装置が提案されている。
【０００３】
【特許文献１】特開平7-145973号公報
【発明の開示】
【発明が解決しようとする課題】
【０００４】
特許文献１に記載の技術においては、給気用ファン２１を駆動させて浴室外からの空気を浴室内に取り込んでいるが、トイレの排気を同時に実施することを目的として、トイレと浴室とをダクトで連結すると、トイレの臭気をそのまま浴室に運んでしまうという問題があった。
【０００５】
本発明は、上記問題を解決するためになされたものであり、浴室とトイレの換気を同時に行った場合でも、浴室内へトイレの臭気を運ばずに排気できる換気装置を提供することにある。
【課題を解決するための手段】
【０００６】
上記目的を達成するために本発明の特徴とするところは、浴室に設けられ、内部にファンユニットを有する換気手段と、トイレに設けた第１の吸気口と、前記トイレ及び前記浴室以外に設けた第２の吸気口を備え、前記換気手段は、空気を屋外に排気するための排気口と、空気を前記浴室内の流入させる吹出口と、浴室内の空気を吸込む吸込口とを備え、前記第１の吸気口から吸込んだ空気を前記排気口から排気し、前記第２の吸気口から吸込んだ空気を前記吹出口から浴室内に吹出した後、前記吸込口から吸込んで前記排気口に導くように構成したことにある。
【発明の効果】
【０００７】
本発明によれば、トイレの臭気を浴室へ運ぶことなく、浴室の給排気とトイレの排気を同時に行うことができる。
【発明を実施するための最良の形態】
【０００８】
以下、本発明の実施形態を図１〜図５を用いて説明する。
【０００９】
同時給排気型換気装置の本体１０１は、浴室２０１の天井２１１をくり貫いた穴に嵌め込み、ねじ止め固定する。本体１０１の側面には、トイレ２０２（図２）と洗面所２０３（図２）の排気を本体１０１に流入させるための開口部４０１ａ〜４０１ｃ（図４）と、トイレ２０２と浴室２０１の排気を屋外に流出させるための排気開口部４０２を備えている。トイレ継手２０４及び洗面所継手２０５は、開口部４０１ａ〜４０１ｃにいずれの箇所にも接続することが可能で、各部屋の間取りに合わせて施工可能としており施工性が良い構成となっている。その際、継手が接続されない開口部(４０１ａ〜４０１ｃ内の１箇所)には、開口部を密閉するための板(図示せず)を接続する。排気開口部４０２（排気口）は、排気継手２０６接続専用となっている。
【００１０】
前記各継手には、図５に示すようにダクト２０７接続時、または本体１０１取付時に各継手がふらつき防止の為、取付金具５０１が接続されている。取付金具５０１には、各継手に各々２ヶ所に形成された爪部５０２を挿入することで容易に固定することができる。トイレ側のダクト２０７先端には第１の吸気口２０９を接続し、洗面所側のダクト２０７先端には第２の吸気口２１０を接続する。
【００１１】
トイレ排気（図中、矢印Ａ）を本体１０１に流入するトイレ継手２０４には排気風を導くための誘導板１０７が取り付けられ、前記誘導板１０７は本体１０１の側面の開口部(４０１ａ〜４０１ｃ内の１箇所)の下半分を塞ぎ、洗面所排気（図中、矢印Ｂ）を本体１０１に流入する洗面所継手２０５にも同様に、本体１０１の側面の開口部(４０１ａ〜４０１ｃ内の１箇所)の上半分を塞ぐ誘導板１０７を設けている。また誘導板１０７は、トイレ継手２０４、洗面所継手２０５にそれぞれ上下反転させて取り付けることで、共用することもできる。前記洗面所排気（図中、矢印Ｂ）は同時に浴室内への給気を兼ねている。
【００１２】
本体１０１内には、トイレ排気用のファン１０２（以下、ファン１０２として説明する）と、トイレファンケーシング１０８を本体１０１内部上方に、浴室排気用のファン１０３（以下、ファン１０３として説明する）、浴室ファンケーシング１０９を伴って本体１０１内部下方に配置し、前記ファン１０２、１０３を駆動させるための１個の電動機１０６からなるファンユニットが収められ、換気手段を構成している。
【００１３】
ファン１０３の下端には、洗面所２０３の排気を浴室２０１に給気させる洗面所排気用のファン１０４を設け、前記ファン１０３よりも外径が大きいプロペラ形でかつ一体成形品で形成している。ファン１０３とファン１０４の一体化は、ねじ止め、超音波溶着、接着でもよい。ファン１０２〜１０４は振動、騒音を低減させるため羽根枚数をそれぞれ変えている。ファン１０２とファン１０３は、電動機１０７の回転軸に互いの軸受け部を連結させて固定される。
【００１４】
また本体１０１内部には、ファン１０２とファン１０３を隔て、本体１０１側面の開口部４０１ａ〜４０１ｃ及び排気開口部４０２を上下に二分する位置で仕切板１０５を備え、トイレ排気流路１１０を隔離している。
【００１５】
ファン１０３を擁する浴室ファンケーシング１０９は、前記仕切板１０５の下側の本体１０１内部を排気流路１１１と給気流路１１２とに仕切る構成となっている。
【００１６】
本体１０１下方開放部に設けられたパネル１１３には、中央に浴室排気（図中、矢印Ｃ）の吸込口１１４と、周囲に洗面所排気（図中、矢印Ｂ）を浴室２０１に給気させる吹出口１１５を有し、バネで着脱自在に取り付いている。前記パネル１１３の吹出口１１５は浴室２０１への給気（図中、矢印Ｂ）を効率良く吹出すため天井２１１に沿うような位置にあり、天井２１１に取り付けた状態で吹出口１１５が形成される構造となっている。パネル１１３は結露や湯気により発生する水滴が、浴室２０１に垂れてこないよう水滴が溜められる形状なっており、入浴中に人に垂れて不愉快になることがない。前記パネル１１３の中央部は、本体１０１内部へ入り込む形でベルマウス部１１６を一体で構成し、浴室の給気（図中、矢印Ｂ）と浴室排気（図中、矢印Ｃ）の風が混同しないような流路構成としている。
【００１７】
電動機１０６を運転し、ファン１０２、ファン１０３が回転すると、ファン１０２によりトイレ排気流（図中、矢印Ａ）が生じ、ファン１０３により浴室排気流（図中、矢印Ｃ）が生じる。加えてファン１０３の下端に形成されたファン１０４により、洗面所排気流（図中、矢印Ｃ）が生じる。
トイレ排気流（図中、矢印Ａ）は、トイレ２０２と本体１０１とを連通するダクト２０７を通り、トイレ継手２０４を経由して、本体１０１側面の開口部(４０１ａ〜４０１ｃ内の１箇所)の上半分から本体１０１に流入する。前記本体１０１内部は、本体１０１内部を上下に分断する仕切板１０５により、トイレ排気流路１１０が隔離されているため、トイレ排気流（図中、矢印Ａ）は浴室の給排気流（図中、矢印Ｂ，Ｃ）とは混じることなく排気継手２０６を経由し、屋外ダクト２０８へと流出される。本構成を用いることで、トイレ２０２の臭気が浴室２０１へ拡散しない構造となっている。万一、トイレの臭気が外風の影響により、屋内ダクト２０８を介し、排気継手２０６に達した場合でも、各部屋に逆流しないようにシャッター１１７を設けている。
【００１８】
一方、洗面所の排気流（図中、矢印Ｂ）は、洗面所２０３と本体１０１とを連通するダクト２０７を通り、洗面所継手２０５経由して、本体１０１側面の開口部(４０１ａ〜４０１ｃ内の１箇所)の下半分から本体１０１に流入する。前記本体１０１内部の仕切板１０５の下側は、ファン１０３を擁する浴室ファンケーシング１０９により、ファン１０３による浴室の排気流路１１１とファン１０４による給気流路１１２が仕切られており、パネル１１３においても浴室の排気流路１１１と給気流路１１２が仕切られているため、洗面所の排気流（図中、矢印Ｂ）はファン１０３に吸引されることなくパネル１１３の吹出口１１５より浴室２０１に給気される。この浴室給気流（図中、矢印Ｂ）はパネル１１３の４辺に形成された吹出口１１５からほぼ均一に吹き出る。
【００１９】
洗面所排気及び浴室給気（図中、矢印Ｂ）をファン１０４でプロペラ形状とするのは、シロッコ形状よりも風量を有効に出せるためであり、洗面所２０３の乾いた空気を、確実にかつ十分に浴室２０１に供給できるため、浴室乾燥時間の大幅な短縮が見込める。
【００２０】
また、プロペラファンにより浴室給気流（図中、矢印Ｂ）を真横に吹き出すのではなく、斜め下方に吹出すことで別ピースを追加しなくても効率良く風の流路を確保でき、小型化、組立性向上、コスト低減が図れる。
【００２１】
また、浴室の給気流（図中、矢印Ｂ）が浴室２０１の天井２１１に沿って吹出されれば、浴室２０１の天井面や壁面の乾燥は一層進み、かび抑制の効果も期待できる。
【００２２】
前記給気流（図中、矢印Ｂ）とガラリ（図示せず）からの給気流（図中、矢印Ｄ）、及び浴室内部の湿気や湯気は、パネル１１３中央の吸込口１１４より本体１０１に流入し、排気継手２０６を経由して屋外ダクト２０８へと流出される（図中、矢印Ｃ）。
【００２３】
浴室２０１の換気は、湿気の多い空気を排気することが重要であるので、浴室給気（図中、矢印Ｂ）に対して浴室排気（図中、矢印Ｃ）は十分大きな風量であるのが望ましい。
【００２４】
以上説明したように本実施形態によれば、トイレの臭気を浴室へ運ぶことなく、浴室の給排気とトイレの排気を同時に行うことができる。
【００２５】
また、ファンの構成も豊富に選択肢があるので、設置条件や市場要求に対してファンの数や流路構成を最適化してコストとスペースの削減も見込める。
【００２６】
また、図６のようにトイレ排気用のファンと浴室排気用のファンを別体で独立して設け、仕切板によりトイレ排気流路を隔離するようにしているので、トイレ排気流路は効果的に隔離することができる。
【００２７】
さらに、図８のように電動機をトイレ排気用のファンと浴室排気用のファンとの間に配置した場合には、仕切板を電動機に密着して構成できるので、トイレ排気流路は完全に隔離することも可能である。
【００２８】
さらにまた、図７のようにトイレ排気用のファンと浴室排気用のファンを一体に形成し、仕切板によりトイレ排気流路を隔離するようにしているので、部品を減らせ、省スペース化を図ることができる。
【００２９】
さらにまた、図９にようにトイレ排気用のファンと浴室排気用のファンに加え、洗面所排気用のファンを備えるので、浴室へ十分な量の空気を供給できる。
【００３０】
さらに図１０のように、洗面所排気用のファンを風量発生に適したプロペラファンとしたことで、浴室へ乾燥に効果的な量の空気を供給でき、浴室内のかびの発生を抑制できる。
【図面の簡単な説明】
【００３１】
【図１】本発明の実施形態にかかる同時給排型換気装置の断面図である。
【図２】本発明の実施形態にかかる同時給排型換気装置を浴室取付時の上面図である。
【図３】本発明の実施形態にかかる同時給排型換気装置を浴室取付時の側面図である。
【図４】本発明の実施形態にかかる同時給排型換気装置の本体斜視図である。
【図５】本発明の実施形態にかかる同時給排型換気装置の施工時斜視図である。
【図６】本発明の実施形態にかかる同時給排型換気装置の断面図である。
【図７】本発明の実施形態にかかる同時給排型換気装置の断面図である。
【図８】本発明の実施形態にかかる同時給排型換気装置の断面図である。
【図９】本発明の実施形態にかかる同時給排型換気装置の断面図である。
【図１０】洗面所の排気を浴室に給気するファンの（一体成形品）斜視図である。
【符号の説明】
【００３２】
１０１…本体、１０２…トイレ排気用のファン、１０３…浴室排気用のファン、１０４…洗面所排気用のファン、１０５…仕切板、１０６…電動機、１０７…誘導板、１０８…トイレファンケーシング、１０９…浴室ファンケーシング、１１０…トイレ排気流路、１１１…排気流路、１１２…給気流路、１１３…パネル、１１４…吸込口、１１５…吹出口、１１６…ベルマウス部、１１７…シャッター、２０１…浴室、２０２…トイレ、２０３…洗面所、２０４…トイレ継手、２０５…洗面所継手、２０６…排気継手、２０７…ダクト、２０８…屋外ダクト、２０９…第１の吸気口、２１０…第２の吸気口、２１１…天井、４０１ａ〜ｃ…開口部、４０２…排気開口部、５０１…取付金具、５０２…爪部、
【図１】
2006234284.tif 000003
【図２】
2006234284.tif 000004
【図３】
2006234284.tif 000005
【図４】
2006234284.tif 000006
【図５】
2006234284.tif 000007
【図６】
2006234284.tif 000008
【図７】
2006234284.tif 000009
【図８】
2006234284.tif 000010
【図９】
2006234284.tif 000011
【図１０】
2006234284.tif 000012